(57)【特許請求の範囲】
【請求項１】
連結面側と側面側に開口を有する複数個の凹部を備えた第１コンクリートブロックと、
先端部に設けられた雄ネジ部が凹部内で露出するように第１コンクリートブロックに埋設された複数本の第１連結ロッドと、
連結面側と側面側に開口を有する複数個の凹部を第１コンクリートブロックの凹部と対応して備えた第２コンクリートブロックと、
先端部に設けられた雄ネジ部が凹部内で露出するように第２コンクリートブロックに埋設された複数本の第２連結ロッドと、
第１連結ロッドの先端雄ネジ部が螺合可能な雌ネジ穴を中央に有すると共に雄ネジ部を外面に有し、雌ネジ穴を第１連結ロッドの先端雄ネジ部に螺合することで第１連結ロッド各々に取り付けられた第１締め付け部材と、
第２連結ロッドの外径よりも僅かに大きな口径の挿通孔を中央に有すると共に第１締め付け部材の外面雄ネジ部に螺合可能な雌ネジ孔を挿通孔との間に段差を介して有し、挿通孔を第２連結ロッドの先端雄ネジ部に挿し込むことで第２連結ロッドに各々に被せられた第２締め付け部材と、
第２締め付け部材を第２連結ロッドに被せた後に第２連結ロッドの先端雄ネジ部に螺合することで第２連結ロッド各々に取り付けられ、第２締め付け部材の段差との当接によって第２締め付け部材の第２連結ロッド先端に向かう方向の移動を制限するナットとを備えたコンクリートブロック連結構造体であって、
第１コンクリートブロックの凹部は第１コンクリートブロックの内外面それぞれに複数個設けられ、第２コンクリートブロックの凹部は第２コンクリートブロックの内外面それぞれ複数個設けられており、
第１コンクリートブロックの連結面と第２コンクリートブロックの連結面を互いの凹部が合致するように組み合わせた後に、第２連結ロッドに被せられている第２締め付け部材をそれぞれ回転させてその雌ネジ孔を第１連結ロッドに取り付けられている第１締め付け部材各々の外面雄ネジ部に螺合して締め付け、相対向する連結ロッド各々の第２連結ロッドを第２締め付け部材の段差に当接するナットを介して第１連結ロッド方向に引き寄せると共に第１連結ロッドを第１締め付け部材を介して第２連結ロッド方向に引き寄せることにより、第１コンクリートブロックの連結面と第２連結ブロックの連結面とが圧接している、
ことを特徴とするコンクリートブロック連結構造体。
【請求項２】
第１，第２コンクリートブロックにおいて連結後状態で引っ張り力が作用する面側の凹部の数と圧縮力が作用する面側の凹部の数は同じであり、
第１，第２コンクリートブロックにおいて連結後状態で引っ張り力が作用する面側には圧縮力が作用する面側よりも連結ロッドとして太いものが用いられ、且つ、第１締め付け部材，第２締め付け部材及びナットにより構成される連結器として連結ロッドの太さに対応した大型のものが用いられている、
ことを特徴とする請求項１に記載のコンクリートブロック連結構造体。
【請求項３】
第１，第２コンクリートブロックにおいて連結後状態で引っ張り力が作用する面側の凹部の数は圧縮力が作用する面側の凹部の数よりも多く、第１，第２コンクリートブロックにおいて連結後状態で引っ張り力が作用する面側と圧縮力が作用する面側には連結ロッドとして太さが同じものが用いられ、且つ、第１締め付け部材，第２締め付け部材及びナットにより構成される連結器として同じ大きさのものが用いられている、
ことを特徴とする請求項１に記載のコンクリートブロック連結構造体。
【請求項４】
コンクリートブロック連結構造体は２以上のコンクリートブロックを矩形状，Ｕ字状またはＬ字状に組み合わせて構成されたものであり、隣接する２つのコンクリートブロックが前記第１，第２コンクリートブロックに相当する、
ことを特徴とする請求項１〜３の何れか１項に記載のコンクリートブロック連結構造体。
【発明の詳細な説明】
【０００１】
【発明の属する技術分野】
本発明は、コンクリートブロックを建設現場において連結するときに有用なコンクリートブロック連結構造体に関する。
【０００２】
【従来の技術】
梁や擁壁や暗渠や水路等のコンクリート構造物を構築するときに用いられるコンクリートブロックは、作業能率や精度や品質管理の向上を目的として、建設現場以外のところで製作されている。ところが、ブロック自体が大型で重い場合や複雑な形状を持つブロックの場合には、輸送にかかる作業負担やコストが増してしまうと共に、大きな保管スペースが必要となる。
【０００３】
依って、近年では、前記のコンクリートブロックを予め分割して製作し、この分割ブロックを建設現場に搬入し、必要に応じて連結する方法が採用されている。例えば、図３２に示すように、所定形状の暗渠ブロックを予め上下に分割して製作しておき、この分割ブロック２０１と２０２を建設現場において連結している。
【０００４】
この分割ブロック２０１と２０２の連結面側の端部側面には、凹部２０１ａと２０２ａが間隔をおいてそれぞれ形成されている。また、各凹部２０１ａ，２０２ａ内には、ブロック内に埋設された内部鉄筋の端部２０１ｂと２０２ｂがそれぞれ露出している。
【０００５】
この分割ブロック２０１と２０２を連結するときには、２つの分割ブロック２０１と２０２をパッキン（図示省略）を間に挟んで図のように組み合わせる。そして、相対向する鉄筋端部２０１ｂ，２０２ｂを個々に溶接して、２つの分割ブロック２０１と２０２を一体化させる。
【０００６】
【発明が解決しようとする課題】
しかし、前述の連結方法では、１箇所当たりの溶接に５分〜１０分の時間を要するため、複数の溶接作業者を使用したとしても一連の連結作業が完了するまでにかなりの時間を必要とすると共に、環境条件や作業者の能力によって溶接品質にバラツキが生じ易い。
【０００７】
また、内部鉄筋の端部２０１ｂ，２０２ｂ同志を溶接するだけであるため、連結時にパッキンを十分に押圧することができない。つまり、パッキンを間に挟んでも２つの分割ブロック２０１と２０２を適正な圧接状態で連結することが困難で、所期の気密性や水密性を確保することが難しい。
【０００８】
本発明は前記事情に鑑みて創作されたもので、その目的とするところは、コンクリートブロックを適正な圧接状態で強固に連結できるコンクリートブロック連結構造体を提供することにある。
【０００９】
【課題を解決するための手段】
前記目的を達成するため、本発明のコンクリートブロック連結構造体は、連結面側と側面側に開口を有する複数個の凹部を備えた第１コンクリートブロックと、先端部に設けられた雄ネジ部が凹部内で露出するように第１コンクリートブロックに埋設された複数本の第１連結ロッドと、連結面側と側面側に開口を有する複数個の凹部を第１コンクリートブロックの凹部と対応して備えた第２コンクリートブロックと、先端部に設けられた雄ネジ部が凹部内で露出するように第２コンクリートブロックに埋設された複数本の第２連結ロッドと、第１連結ロッドの先端雄ネジ部が螺合可能な雌ネジ穴を中央に有すると共に雄ネジ部を外面に有し、雌ネジ穴を第１連結ロッドの先端雄ネジ部に螺合することで第１連結ロッド各々に取り付けられた第１締め付け部材と、第２連結ロッドの外径よりも僅かに大きな口径の挿通孔を中央に有すると共に第１締め付け部材の外面雄ネジ部に螺合可能な雌ネジ孔を挿通孔との間に段差を介して有し、挿通孔を第２連結ロッドの先端雄ネジ部に挿し込むことで第２連結ロッドに各々に被せられた第２締め付け部材と、第２締め付け部材を第２連結ロッドに被せた後に第２連結ロッドの先端雄ネジ部に螺合することで第２連結ロッド各々に取り付けられ、第２締め付け部材の段差との当接によって第２締め付け部材の第２連結ロッド先端に向かう方向の移動を制限するナットとを備えたコンクリートブロック連結構造体であって、第１コンクリートブロックの凹部は第１コンクリートブロックの内外面それぞれに複数個設けられ、第２コンクリートブロックの凹部は第２コンクリートブロックの内外面それぞれ複数個設けられており、第１コンクリートブロックの連結面と第２コンクリートブロックの連結面を互いの凹部が合致するように組み合わせた後に、第２連結ロッドに被せられている第２締め付け部材をそれぞれ回転させてその雌ネジ孔を第１連結ロッドに取り付けられている第１締め付け部材各々の外面雄ネジ部に螺合して締め付け、相対向する連結ロッド各々の第２連結ロッドを第２締め付け部材の段差に当接するナットを介して第１連結ロッド方向に引き寄せると共に第１連結ロッドを第１締め付け部材を介して第２連結ロッド方向に引き寄せることにより、第１コンクリートブロックの連結面と第２連結ブロックの連結面とが圧接している、ことをその特徴とする。
【００１０】
この連結構造体によれば、第１コンクリートブロックの連結面と第２コンクリートブロックの連結面を互いの凹部が合致するように組み合わせた後に、第２連結ロッドに被せられている第２締め付け部材をそれぞれ回転させてその雌ネジ孔を第１連結ロッドに取り付けられている第１締め付け部材各々の外面雄ネジ部に螺合して締め付けることにより、相対向する第１，第２連結ロッドに対して互いを引き寄せる方向の力を付与し、且つ、所定の引き寄せ力を付与した状態を維持することができ、これにより第１，第２コンクリートブロックを圧接して第１，第２コンクリートブロック相互を強固に連結できる。
【００１１】
【発明の実施の形態】
図１〜図５には本発明の一実施態様を示してある。図１〜図５において、符号ＤＢ１とＤＢ２は分割ブロック、１０は内部鉄筋、３０は連結ロッド、５０は連結器である。
【００１２】
分割ブロックＤＢ１とＤＢ２は梁ブロック用のもので、左右に連結されて所定形状の梁ブロックとなる（図１参照）。この分割ブロックＤＢ１とＤＢ２は、建設現場以外のところで予め製作されたプレキャストコンクリート製品であり、連結されないまま建設現場に搬入される。
【００１３】
各分割ブロックＤＢ１とＤＢ２には補強用の内部鉄筋１０がそれぞれ内蔵されている。この内部鉄筋１０は、互いが平行な８本の主筋１１と、主筋１１の外側を囲むように配された４本のあばら筋１２と、あばら筋１２の端部間を結ぶように配された４本の補助筋１３とから成り、各分割ブロックＤＢ１とＤＢ２と相似形に組み上げられた後に溶接や他の手法により接合されて一体化されている。勿論、図示例以外の構造を有するものを内部鉄筋として用いてもよく、主筋１１と平行な添筋（図示省略）を有するものを内部鉄筋として用いてもよい。
【００１４】
また、分割ブロックＤＢ１の連結面側の端部上下面と、分割ブロックＤＢ２の連結面側の端部上下面には、上下面側と連結面側に開口を有する凹部４０が間隔をおいて２個ずつ形成されている。
【００１５】
さらに、各分割ブロックＤＢ１とＤＢ２の内部には、主筋１１と平行となるように所定長さの連結ロッド３０が４本ずつ埋設されている。図示例のものでは、この連結ロッド３０として異形鉄筋が用いられおり、この連結ロッド３０を前記内部鉄筋１０に溶接や他の手法によって接合してある。つまり、分割ブロックＤＢ１とＤＢ２は、連結ロッド３０が一体化された内部鉄筋１０を用いて製作されている。また、各連結ロッド３０はその一端部に雄ネジ部３０ａを有しており、この雄ネジ部３０ａを各凹部４０内で露出している。
【００１６】
ちなみに、連結ロッド３０太さは、連結対象となる分割ブロックの重量や連結後の梁ブロックに外部から加わる力等の条件に応じて適宜選定される。また、後に詳述する連結器５０の大きさも、連結ロッド３０の太さや前記同様の条件に応じて適宜選定される。
【００１７】
例えば、本実施態様のような梁ブロックでは、下面側に引っ張り力が作用し上面側に圧縮力が作用するため、引っ張り力が作用する下面側には、圧縮力が作用する上面側よりも、連結ロッド３０として太いものを用い、且つこれに対応した大型の連結器５０を用いるとよい。勿論、連結ロッド３０の太さや連結器５０の大きさを同じにして、引っ張り力が作用する下面側の連結ロッド３０及び連結器５０の数を圧縮力が作用する上面側よりも多くしてもよい。
【００１８】
また、本実施態様では、連結ロッド３０として表面凸部を有する異形鉄筋を用い、且つ連結ロッド３０を内部鉄筋１０と一体化することで、連結ロッド３０に所期の引っ張り強度を確保するようにしている。尚、連結ロッド３０を内部鉄筋１０に一体化しなくとも所期の引っ張り強度が得られる場合には、連結ロッド３０を内部鉄筋１０に必ずしも接合する必要はない。
【００１９】
連結器５０は、図３及び図４に示すように、第１締め付け部材５１と、第２締め付け部材５２と、連結ロッド３０の雄ネジ部３０ａに取り付け可能な２つのナット５３とから構成されている。
【００２０】
第１締め付け部材５１は、連結ロッド３０の外径よりも僅かに大きな口径を有する挿通孔５１ａと、ナット５３の外径よりも僅かに大きな口径を有する挿通孔５１ｂを、段差５１ｃを介して有している。また、第１締め付け部材５１の挿通孔５１ａ側の端部には、レンチ等の工具（図示省略）が係合可能なナット状部分５１ｄが設けられている。さらに、第１締め付け部材５１の挿通孔５１ｂの外側面には雄ネジ部５１ｅが設けられている。
【００２１】
第２締め付け部材５２は、連結ロッド３０の外径よりも僅かに大きな口径を有する挿通孔５２ａと、前記雄ネジ部５１ｅに対応した雌ネジ孔５２ｂを、段差５２ｃを介して有している。また、第２締め付け部材５２の挿通孔５２ａ側の端部には、レンチ等の工具（図示省略）が係合可能なナット状部分５２ｄが設けられている。
【００２２】
図面から分かるように、この連結器５０における第１締め付け部材５１の雄ネジ部５１ｅと第２締め付け部材５２の雌ネジ孔５２ｂのネジ山は何れも右ネジであり、連結ロッド３０の雄ネジ部３０ａのネジ山は何れも左ネジとなっている。勿論、連結ロッド３０の雄ネジ部３０ａのネジ山の少なくとも一方を右ネジとしたり、或いは、第１締め付け部材５１の雄ネジ部５１ｅと第２締め付け部材５２の雌ネジ孔５２ｂのネジ山を左ネジとしても、所期のブロック連結を実施することは可能である。
【００２３】
この連結器５０によって２つの分割ブロックＤＢ１とＤＢ２を連結するときには、まず、図５に示すように、一方の分割ブロックＤＢ１の連結ロッド３０の露出部分の外側に第２締め付け部材５２を被せて、雄ネジ部３０ａにナット５３を取り付けておく。また、他方の分割ブロックＤＢ２における連結ロッド３０の露出部分の外側に第１締め付け部材５１を被せて、雄ネジ部３０ａにナット５３を取り付けておく。尚、ブロック組み合わせ時における連結ロッド３０の対向間隔と連結器５０の構成部品の大きさとの関係によっては、この取付作業を後述するブロック組み合わせ後に実施することもできる。
【００２４】
各雄ネジ部３０ａにナット取り付け位置を示すマークを付けておけば、雄ネジ部３０ａに対するナット５３の取り付け位置を容易に決定できる。また、ナット５３の内面に予め接着材を塗布しておいたり、或いはナット５３として厚みの小さなナットを２つ用いて一方のナットで他方のナットを固定するようにすれば、ナット取付位置が変動することを防止できる。
【００２５】
次に、２つの分割ブロックＤＢ１とＤＢ２の連結面を互いの凹部４０が合致するように、換言すれば、互いの連結ロッド３０の中心線ＣＬ（図５参照）が一致するようにパッキン（図示省略）を間に挟んで組み合わせる。ちなみに、分割ブロックＤＢ１と分割ブロックＤＢ２の連結面に、互いに係合する凸部と凹部を設けておけば、前記の組み合わせ作業を容易に行うことができると共に、連結後のブロックの耐剪断力を向上することができる。
【００２６】
次に、相対向する連結ロッド３０に取り付けられている締め付け部材５１と５２を指先で回して、第１締め付け部材５１の雄ネジ部５１ｅを第２締め付け部材５２の雌ネジ孔５２ｂに軽く締め付ける。
【００２７】
次に、第１締め付け部材５１のナット状部分５１ｄと第２締め付け部材５２のナット状部分５２ｄに工具を係合した状態で、締め付け部材５１と５２を逆方向に回転させるか、或いは、一方の締め付け部材を押さえながら他方の締め付け部材のみを回転させることによって、第１締め付け部材５１の雄ネジ部５１ｅを第２締め付け部材５２の雌ネジ孔５２ｂに締め付ける。
【００２８】
締め付けが進むと、各連結ロッド３０の雄ネジ部３０ａに取り付けられているナット５３それぞれが、第１締め付け部材５１の段差５１ｃと第２締め付け部材５２の段差５２ｃに当接する。この後にさらに締め付けを継続すると、各連結ロッド３０が図３中の矢印方向に引き寄せられ、これによって分割ブロックＤＢ１と分割ブロックＤＢ２の連結面がパッキンを介して隙間なく圧接する。分割ブロックＤＢ１と分割ブロックＤＢ２の連結面を偏りなく圧接するには、４つの連結器５０に対して前記の締め付け作業を均等に実施することが望ましい。
【００２９】
この締め付けによって各連結ロッド３０には図３中の矢印方向の引っ張り力が作用するが、先に述べたように各連結ロッド３０にはこれに対抗する十分な強度（コンクリートに対する付着力）が確保されているため、締め付け時に連結ロッド３０がブロックから抜け出してしまうようなことはない。また、各連結ロッド３０に作用する引っ張り力はそのコンクリート接触面を介してブロック内に分散するため、局部的な応力集中を原因としたクラックが発生することはない。
【００３０】
また、第１締め付け部材５１の挿通孔５１ａと連結ロッド３０との間と、第２締め付け部材５２の挿通孔５２ａと連結ロッド３０との間には多少の遊びがあるため、相対向する連結ロッド３０の中心線ＣＬにずれがある場合でも、このずれを前記遊びによって吸収して、連結作業を適正に行うことができる。
【００３１】
さらに、第１締め付け部材５１の雄ネジ部５１ｅと第２締め付け部材５２の雌ネジ孔５２ｂのネジ山の向きと、連結ロッド３０の雄ネジ部３０ａのネジ山の向きを逆にしてあるので、前記の締め付け作業時に、連結ロッド３０の雄ネジ部３０ａに取り付けておいたナット５３が緩むようなことはない。勿論、先に述べたように、雄ネジ部３０ａに取り付けられるナット５３の内面に予め接着材を塗布しておいたり、或いはナット５３として厚みの小さなナットを２つ用いて一方のナットで他方のナットを固定するようにしても、前記同様の緩み防止効果が得られる。
【００３２】
前記の締め付け作業は、分割ブロックＤＢ１と分割ブロックＤＢ２とがパッキンを介して所定の圧力下で圧接するまで継続され、これにより２つの分割ブロックＤＢ１とＤＢ２が強固に連結される。
【００３３】
締め付け作業が完了した後は、硬化材（図示省略）を各凹部４０内に充填して硬化させる。この硬化材としては、モルタルと樹脂との混合物から成る強化モルタル等が好ましく利用できる。これにより、連結器５０の緩み防止が図られると共に、連結箇所の耐剪断強度が向上する。以上で一連の連結作業を完了する。
【００３４】
前述のコンクリートブロック連結構造体によれば、分割ブロックＤＢ１とＤＢ２を組み合わせた後に、工具を用いて第１締め付け部材５１と第２締め付け部材５２の少なくとも一方を回転させるだけの簡単な作業によって、分割ブロックＤＢ１とＤＢ２の連結面をパッキンを介して圧接して、両ブロックＤＢ１とＤＢ２を強固に連結することができる。
【００３５】
また、前記の締め付け作業によって相対向する連結ロッド３０に引き寄せ力を付与してパッキンを十分に押圧することができるので、分割ブロックＤＢ１とＤＢ２を適正な圧接状態で連結して、所期の気密性や水密性を的確に確保することができる。
【００３６】
さらに、相対向する連結ロッド３０に引き寄せ力を付与した状態を維持できるので、外部から力を受けても分割ブロックＤＢ１とＤＢ２の連結に緩みを生じることがなく、長期に亘って連結状態を良好に維持することができる。
【００３７】
さらにまた、連結器５０を小型に構成でき、しかも連結器５０を分割ブロックＤＢ１とＤＢ２に対して簡単に後付けできるので、連結前のブロックに連結器５０を付けたままにしておく必要がなく、連結器５０を別の場所で保管，管理できる利点がある。
【００３８】
尚、第１締め付け部材５１のナット状部分５１ｄと第２締め付け部材５２のナット状部分５２ｄの代わりに、図６に示すような歯輪状部分（矩形溝が円周方向に等間隔で並ぶ部分）５１ｆと５２ｅを設けるようにしてもよい。この場合には、歯輪状部分５１ｆと５２ｅに係合可能な突起等を有するものを工具として用いる。
【００３９】
また、連結後のブロックに加わる外力によって連結ロッド３０や両締め付け部材５１，５２に塑性変形が生じることを防止して、ブロックの連結強度や水密性や気密性を良好に維持するには、図７，図８または図９に示す方法が適宜採用できる。
【００４０】
図７に示す方法は、連結ロッド３０の雄ネジ部３０ａそれぞれに固定用ナット５４を予め２個取り付けておき、第１締め付け部材５１と第２締め付け部材５２の締め付け作業が完了した後に固定用ナット５４を締め付けて第１締め付け部材５１と第２締め付け部材５２の固定を行うようにしたものである。勿論、固定用ナット５４は１個であっても同様の固定を行うことができる。
【００４１】
図８に示す方法は、第１締め付け部材５１の外面に挿通孔５１ａ，５１ｂに通じる注入孔５１ｇを少なくとも１個形成し、且つ第２締め付け部材５２の外面に挿通孔５２ａと雌ネジ孔５２ｂに通じる注入孔５２ｆを少なくとも１個形成しておき、何れか一方の注入孔に注入ノズルＰＮから硬化材ＨＭを注入するようにしたものである。注入された硬化材ＨＭは、雌ネジ孔５２ｂと雄ネジ部５１ｅの間の隙間や、挿通孔５１ａ，５２ａと連結ロッド３０の間の隙間に入り込んで硬化する。この硬化材ＨＭは、エポキシ系やポリエステル系の樹脂に増量材等を混合して調製されたものが好ましく利用できる。
【００４２】
図９（Ａ），（Ｂ）に示す方法は、第２締め付け部材５２の雌ネジ孔５２ｂ内に予め所定量の硬化材ＨＭを充填してから、第２締め付け部材５２の雌ネジ孔５２ｂに第１締め付け部材５１の雄ネジ部５１ｅを締め付けるようにしたものである。硬化材ＨＭは、締め付けに従って雌ネジ孔５２ｂと雄ネジ部５１ｅの間の隙間や、挿通孔５１ａ，５２ａと連結ロッド３０の間の隙間に入り込み、締め付け操作完了後に硬化する。ここで用いられる硬化材ＨＭは前記と同様である。第２締め付け部材５２の雌ネジ孔５２ｂに第１締め付け部材５１の雄ネジ部５１ｅをネジ込む途中で両締め付け部材５１，５２を揺する等して振動を付与すれば、硬化材ＨＭの隙間への回り込みを促進することができる。
【００４３】
さらに、前述の実施態様では、連結ロッド３０として真っ直ぐな異形鉄筋を用いたものを示したが、図１０（Ａ），図１０（Ｂ）または図１０（Ｃ）に示す連結ロッドを採用すれば、連結ロッド３０のコンクリートに対する付着力を高めてその引っ張り強度を向上させることできる。図１０（Ａ）に示す連結ロッド３０は、波形に屈曲した補強部材３１が長さ方向に沿って接合されている。図１０（Ｂ）に示す連結ロッド３０は、複数の棒状補強部材３２が長さ方向に間隔をおいて平行に接合されている。図１０（Ｃ）の連結ロッド３０は、２本の連結ロッド３０に対して複数の棒状補強部材３３が長さ方向に間隔をおいて平行に接合されている。勿論、連結ロッド３０それ自体を屈曲して波形部分やＬ字形部分等を形成しても同様の効果を期待できる。
【００４４】
さらにまた、前述の実施態様では、主筋１１とあばら筋１２と補助筋１３とから内部鉄筋１０を構成したものを示したが、図１１に示すように、格子状や他のパターンで成形された樹脂網１４や格子状や他のパターンで編み込まれた金網１５を主筋１１と連結ロッド３０の間に介装すれば、分割ブロック自体の耐脆性を高めることができる。また、ブロック連結時に連結ロッド３０とこれが付着しているコンクリートとの間に作用する応力を、前記の樹脂網１４や金網１５によって効果的に分散することができ、さらに内部鉄筋１０によって効果的に分散することができる。ちなみに、前記の金網１５は内部鉄筋１０と連結ロッド３０の少なくとも一方に接続しておいてもよい。
【００４５】
以下に、前記以外の構造を有する連結器の例を図１２〜図１６を参照して説明する。
【００４６】
図１２〜図１４に示す連結器６０は、第１締め付け部材６１と、第２締め付け部材６２と、連結ロッド３０の雄ネジ部３０ａに取り付け可能な１つのナット６３とから構成されている。
【００４７】
第１締め付け部材６１は、連結ロッド３０の雄ネジ部３０ａに対応した雌ネジ穴６１ａを中央に有している。また、第１締め付け部材６１の雌ネジ穴６１ａの開口側には、レンチ等の工具（図示省略）が係合可能なナット状部分６１ｂが設けられている。さらに、第１締め付け部材６１の外側面には雄ネジ部６１ｃが設けられている。
【００４８】
第２締め付け部材６２は、連結ロッド３０の外径よりも僅かに大きな口径を有する挿通孔６２ａと、前記雄ネジ部６１ｃに対応した雌ネジ孔６２ｂを、段差６２ｃを介して有している。また、第２締め付け部材６２の挿通孔６２ａ側の端部には、レンチ等の工具（図示省略）が係合可能なナット状部分６２ｄが設けられている。
【００４９】
図面から分かるように、この連結器６０における第１締め付け部材６１の雄ネジ部６１ｃと第２締め付け部材６２の雌ネジ孔６２ｂのネジ山は何れも右ネジである。また、後述する締め付け作業時にナット６３が緩むことを防止するため、第２締め付け部材６２側の連結ロッド３０の雄ネジ部３０ａのネジ山は左ネジとなっている。勿論、連結ロッド３０の雄ネジ部３０ａのネジ山の少なくとも一方を右ネジとしたり、或いは、第１締め付け部材６１の雄ネジ部６１ｃと第２締め付け部材６２の雌ネジ孔６２ｂのネジ山を左ネジとしても、所期のブロック連結を実施することは可能である。
【００５０】
この連結器６０によって２つの分割ブロックＤＢ１とＤＢ２を連結するときには、まず、図１４に示すように、一方の分割ブロックＤＢ１の連結ロッド３０の露出部分の外側に第２締め付け部材６２を被せて、雄ネジ部３０ａにナット６３を取り付けておく。また、他方の分割ブロックＤＢ２の連結ロッド３０の雄ネジ部３０ａに第１締め付け部材６１を取り付けておく。尚、ブロック組み合わせ時における連結ロッド３０の対向間隔と連結器６０の構成部品の大きさとの関係によっては、この取付作業を後述するブロック組み合わせ後に実施することもできる。
【００５１】
各雄ネジ部３０ａにナット６３と第２締め付け部材６２の取り付け位置を示すマークを付けておけば、雄ネジ部３０ａに対するナット６３と第２締め付け部材６２の取り付け位置を容易に決定できる。また、ナット６３の内面に予め接着材を塗布しておいたり、或いはナット６３として厚みの小さなナットを２つ用いて一方のナットで他方のナットを固定するようにすれば、ナット取付位置が変動することを防止できる。
【００５２】
次に、２つの分割ブロックＤＢ１とＤＢ２の連結面を互いの凹部４０が合致するように、換言すれば、互いの連結ロッド３０の中心線ＣＬ（図１４参照）が一致するようにパッキン（図示省略）を間に挟んで組み合わせる。
【００５３】
次に、相対向する連結ロッド３０に取り付けられている締め付け部材６１と６２を指先で回して、第１締め付け部材６１の雄ネジ部６１ｃに第２締め付け部材６２の雌ネジ孔６２ｂを軽く締め付ける。
【００５４】
次に、第１締め付け部材６１のナット状部分６１ｂと第２締め付け部材６２のナット状部分６２ｄに工具を係合した状態で、第１締め付け部材６１を押さえながら第２締め付け部材６２のみを回転させることによって、第１締め付け部材６１の雄ネジ部６１ｃに第２締め付け部材６２の雌ネジ孔６２ｂを締め付ける。第１締め付け部材６１の雄ネジ部６１ｃのネジ山のピッチが、連結ロッド３０の雄ネジ部３０ａのネジ山のピッチよりも大きいため、第２締め付け部材６２を押さえながら第１締め付け部材６１のみを回転させても同様の締め付け作業を行うことができる。
【００５５】
締め付けが進むと、連結ロッド３０の雄ネジ部３０ａに取り付けられているナット６３が、第２締め付け部材６２の段差６２ｃに当接する。この後にさらに締め付けを継続すると、各連結ロッド３０が図１２中の矢印方向に引き寄せられ、これによって分割ブロックＤＢ１と分割ブロックＤＢ２とがパッキンを介して隙間なく圧接する。
【００５６】
第２締め付け部材６２の挿通孔６２ａと連結ロッド３０との間には多少の遊びがあるため、相対向する連結ロッド３０の中心線ＣＬにずれがある場合でも、このずれを前記遊びによって吸収して、連結作業を適正に行うことができる。
【００５７】
また、第１締め付け部材６１の雄ネジ部６１ｃと第２締め付け部材６２の雌ネジ孔６２ｂのネジ山の向きと、連結ロッド３０の雄ネジ部３０ａのネジ山の向きを異ならせてあるので、前記の締め付け作業時に、連結ロッド３０の雄ネジ部３０ａに取り付けておいたナット６３が緩むようなことはない。勿論、先に述べたように、雄ネジ部３０ａに取り付けられるナット６３の内面に予め接着材を塗布しておいたり、或いはナット６３として厚みの小さなナットを２つ用いて一方のナットで他方のナットを固定するようにしても、前記同様の緩み防止効果が得られる。
【００５８】
前記の締め付け作業は、分割ブロックＤＢ１と分割ブロックＤＢ２とがパッキンを介して所定の圧力下で圧接するまで継続され、これにより２つの分割ブロックＤＢ１とＤＢ２が強固に連結される。
【００５９】
締め付け作業が完了した後は、前記同様の硬化材（図示省略）を各凹部４０内に充填して硬化させる。これにより、連結器６０の緩み防止が図られると共に、連結箇所の耐剪断強度が向上する。以上で一連の連結作業を完了する。
【００６０】
尚、第１締め付け部材６１のナット状部分６１ｂと第２締め付け部材６２のナット状部分６２ｄの代わりに、図１５に示すような歯輪状部分（矩形溝が円周方向に等間隔で並ぶ部分）６１ｄと６２ｅを設けるようにしてもよい。この場合には、歯輪状部分６１ｄと６２ｅに係合可能な突起等を有するものを工具として用いる。
【００６１】
また、連結後のブロックに加わる外力によって連結ロッド３０や両締め付け部材６１，６２に塑性変形が生じることを防止して、ブロックの連結強度や水密性や気密性を良好に維持するには、図１６に示す方法が採用できる。
【００６２】
図１６に示す方法は、連結ロッド３０の雄ネジ部３０ａそれぞれに固定用ナット６４を予め２個取り付けておき、第１締め付け部材６１と第２締め付け部材６２の締め付け作業が完了した後に固定用ナット６４を締め付けて第１締め付け部材６１と第２締め付け部材６２の固定を行うようにしたものである。勿論、固定用ナット６４は１個であっても同様の固定を行うことができる。説明を省略したが、図８と図９のそれぞれに示した方法と同様の方法を採用しても同様の効果が得られる。
【００６３】
以下に、図１に示した梁ブロック以外のコンクリートブロック連結構造体の例を図１７〜図２１を参照して説明する。尚、図面には連結器を収容するための凹部を符号４０で示す。
【００６４】
図１７には本発明を暗渠ブロックに適用した例を示してある。この暗渠ブロックは、予め分割して製作された２つの分割ブロックＤＢ３とＤＢ４をパッキン（図示省略）を介して上下に組み合わせて、これらを連結器（図示省略）によって連結することによって一体化されている。各分割ブロックＤＢ３とＤＢ４には、各ブロックと相似形に組み立てられた内部鉄筋（図示省略）が内蔵されている。凹部４０は、各分割ブロックＤＢ３とＤＢ４の連結端部の外側面に間隔をおいて２個ずつ設けられている。連結ロッド（図示省略）は、内部鉄筋に対し接合または非接合状態で分割ブロックＤＢ３とＤＢ４内に埋設されており、その雄ネジ部を凹部４０内に露出している。この分割ブロックＤＢ３とＤＢ４の連結には前述の連結器の何れか１つが選択的に利用される。ブロック連結の方法は先に述べた方法と同じである。
【００６５】
図１８には本発明を暗渠ブロックに適用した例を示してある。この暗渠ブロックは、予め分割して製作された４つの分割ブロックＤＢ５〜ＤＢ８をパッキン（図示省略）を介して矩形状に組み合わせて、これらを連結器（図示省略）によって連結することによって一体化されている。各分割ブロックＤＢ５〜ＤＢ８には、各ブロックと相似形に組み立てられた内部鉄筋（図示省略）が内蔵されている。凹部４０は、各分割ブロックＤＢ５〜ＤＢ８の連結端部の外側面に間隔をおいて６個ずつ設けられ、内側面に間隔をおいて２個ずつ設けられている。つまり、施工後の暗渠ブロックにおいて引っ張り力が作用する側の凹部の数（連結器の数）を圧縮力が作用する側よりも増やして引っ張り強度の増加を図っている。連結ロッド（図示省略）は、内部鉄筋に対し接合または非接合状態で各分割ブロックＤＢ５〜ＤＢ８の内部に埋設されており、その雄ネジ部を凹部４０内に露出している。この分割ブロックＤＢ５〜ＤＢ８の連結には前述の連結器の何れか１つが選択的に利用される。ブロック連結の方法は先に述べた方法と同じである。
【００６６】
図１９には本発明を水路ブロックに適用した例を示してある。この水路ブロックは、予め分割して製作された３つの分割ブロックＤＢ９〜ＤＢ１１をパッキン（図示省略）を介してＵ字状に組み合わせて、これらを連結器（図示省略）によって連結することによって一体化されている。各分割ブロックＤＢ９〜ＤＢ１１には、各ブロックと相似形に組み立てられた内部鉄筋（図示省略）が内蔵されている。凹部４０は、各分割ブロックＤＢ９〜ＤＢ１１の連結端部の外側面に間隔をおいて６個ずつ設けられ、内側面に間隔をおいて２個ずつ設けられている。つまり、施工後の水路ブロックにおいて引っ張り力が作用する側の凹部の数（連結器の数）を圧縮力が作用する側よりも増やして引っ張り強度の増加を図っている。連結ロッド（図示省略）は、内部鉄筋に対し接合または非接合状態で各分割ブロックＤＢ９〜ＤＢ１１の内部に埋設されており、その雄ネジ部を凹部４０内に露出している。この分割ブロックＤＢ９〜ＤＢ１１の連結には前述の連結器の何れか１つが選択的に利用される。ブロック連結の方法は先に述べた方法と同じである。
【００６７】
図２０には本発明を擁壁ブロックに適用した例を示してある。この擁壁ブロックは、予め分割して製作された６つの分割ブロックＤＢ１２〜ＤＢ１６をパッキン（図示省略）を介して略Ｌ字状に組み合わせて、これらを連結器（図示省略）によって連結することによって一体化されている。各分割ブロックＤＢ１２〜ＤＢ１６には、各ブロックと相似形に組み立てられた内部鉄筋（図示省略）が内蔵されている。凹部４０は、各分割ブロックＤＢ１２〜ＤＢ１６の連結端部の外側面に間隔をおいて６個ずつ設けられ、内側面に間隔をおいて４個ずつ設けられている。つまり、施工後の擁壁ブロックにおいて引っ張り力が作用する側の凹部の数（連結器の数）を圧縮力が作用する側よりも増やして引っ張り強度の増加を図っている。連結ロッド（図示省略）は、内部鉄筋に対し接合または非接合状態で各分割ブロックＤＢ１２〜ＤＢ１６の内部に埋設されており、その雄ネジ部を凹部４０内に露出している。この分割ブロックＤＢ１２〜ＤＢ１６の連結には前述の連結器の何れか１つが選択的に利用される。ブロック連結の方法は先に述べた方法と同じである。
【００６８】
図２１には本発明を暗渠ブロックに適用した例を示してある。この暗渠ブロックは、予め分割して製作された８つの分割ブロックＤＢ１７〜ＤＢ２４をパッキン（図示省略）を介して矩形状に組み合わせて、これらを連結器（図示省略）によって連結することによって一体化されている。各分割ブロックＤＢ１７〜ＤＢ２４には、各ブロックと相似形に組み立てられた内部鉄筋（図示省略）が内蔵されている。凹部４０は、各分割ブロックＤＢ１７〜ＤＢ２４の連結端部の外側面に間隔をおいて３個ずつ設けられ、内側面に間隔をおいて２個ずつ設けられている。つまり、施工後の暗渠ブロックにおいて引っ張り力が作用する側の凹部の数（連結器の数）を圧縮力が作用する側よりも増やして引っ張り強度の増加を図っている。連結ロッド（図示省略）は、内部鉄筋に対し接合または非接合状態で各分割ブロックＤＢ１７〜ＤＢ２４の内部に埋設されており、その雄ネジ部を凹部４０内に露出している。この分割ブロックＤＢ１７〜ＤＢ２４の連結には前述の連結器の何れか１つが選択的に利用される。ブロック連結の方法は先に述べた方法と基本的に同じであるが、ここではブロック連結にプレストレス（ｐｒｅｓｔｒｅｓｓ）法を採用している。
【００６９】
このプレストレス法は、荷重によって生じる応力を打ち消すことを主たる目的とする方法である。ここでは、上側の連結ブロック（ＤＢ２４とＤＢ１７とＤＢ１８）と下側の連結ブロック（ＤＢ２２とＤＢ２１とＤＢ２０）のそれぞれにおいて引っ張り力が作用する内面側に、予め圧縮力を作用させて引っ張り強度の増加を図っている。圧縮力を作用させるには、上側の分割ブロック（ＤＢ２４とＤＢ１７とＤＢ１８）と下側の分割ブロック（ＤＢ２２とＤＢ２１とＤＢ２０）のそれぞれに予め埋め込まれているシース（ｓｈｅａｔｈ）と称される筒材に、高強度鋼材等から成るワイヤーまたはケーブル（以下、緊張材ＷＭと言う）を挿通する。そして、挿通後の緊張材ＷＭの両端をナットやテーパーを有する器具を用いて引っ張って固定することで、上側の連結ブロックと下側の連結ブロックのそれぞれに内面側に圧縮力を作用させる。
【００７０】
以下に、コンクリート構造物を構築する際に利用可能な分割ブロックの連結方法を図２２〜図３１を参照して説明する。尚、図面には内部鉄筋の主筋を符号１１で示し、連結ロッドを符号３０で示す。また、連結器として図３に示した連結器５０を引用する。
【００７１】
図２２（Ａ）と図２２（Ｂ）には分割ブロックをＴ字形状に連結する方法を示してある。平板状の分割ブロックＤＢ２５には連結ロッド３０が内部鉄筋の主筋１１と直交するように溶接や他の手法によって接合され、雄ネジ部は表面で露出している。平板状の分割ブロックＤＢ２６には連結ロッド３０が埋設され、雄ネジ部が凹部４０内で露出している。これら分割ブロックＤＢ２５とＤＢ２６を連結するときには、各雄ネジ部に第１締め付け部材５１と第２締め付け部材５２をそれぞれ取り付ける。そして、分割ブロックＤＢ２５とＤＢ２６を図２２（Ｂ）のように組み合わせた後に、第１締め付け部材５１と第２締め付け部材５２の締め付け作業を行う。
【００７２】
図２３（Ａ）と図２３（Ｂ）には分割ブロックをＴ字形状に連結する方法を示してある。Ｔ字状の分割ブロックＤＢ２７にはＴ字形の連結ロッド３０が埋設され、雄ネジ部が凹部４０内で露出している。平板状の分割ブロックＤＢ２７には連結ロッド３０が埋設され、雄ネジ部が凹部４０内で露出している。これら分割ブロックＤＢ２７とＤＢ２８を連結するときには、各雄ネジ部に第１締め付け部材５１と第２締め付け部材５２をそれぞれ取り付ける。そして、分割ブロックＤＢ２７とＤＢ２８を図２３（Ｂ）のように組み合わせた後に、第１締め付け部材５１と第２締め付け部材５２の締め付け作業を行う。
【００７３】
図２４には分割ブロックを放射形状に連結する方法を示してある。６角柱状の分割ブロックＤＢ２９にはＹ字形の連結ロッド３０が埋設され、３つの雄ネジ部は表面で露出している。平板状の分割ブロックＤＢ３０〜ＤＢ３２には連結ロッド３０が埋設され、雄ネジ部が凹部４０内で露出している。これら分割ブロックＤＢ２９〜ＤＢ３２を連結するときには、各雄ネジ部に連結器５０の第１締め付け部材と第２締め付け部材をそれぞれ取り付ける。そして、分割ブロックＤＢ２９〜ＤＢ３２を図のように組み合わせた後に、第１締め付け部材と第２締め付け部材の締め付け作業を行う。
【００７４】
図２５には分割ブロックを十字形状に連結する方法を示してある。４角柱状の分割ブロックＤＢ３３には十字形の連結ロッド３０が埋設され、４つの雄ネジ部は表面で露出している。平板状の分割ブロックＤＢ３４〜ＤＢ３７には連結ロッド３０が埋設され、雄ネジ部が凹部４０内で露出している。これら分割ブロックＤＢ３３〜ＤＢ３７を連結するときには、各雄ネジ部に連結器５０の第１締め付け部材と第２締め付け部材をそれぞれ取り付ける。そして、分割ブロックＤＢ３３〜ＤＢ３７を図のように組み合わせた後に、第１締め付け部材と第２締め付け部材の締め付け作業を行う。
【００７５】
図２６には分割ブロックを十字形状に連結する方法を示してある。十字状の分割ブロックＤＢ３８には内部鉄筋の主筋１１が表面と平行に埋設され、連結ロッド３０が主筋１１と平行に埋設されており、各連結ロッド３０の両端に設けた雄ネジ部が凹部４０内で露出している。平板状の分割ブロックＤＢ３９〜ＤＢ４２には内部鉄筋の主筋１１が平行に埋設され、連結ロッド３０が主筋１１と平行に埋設されており、各連結ロッド３０の両端に設けた雄ネジ部が凹部４０内で露出している。これら分割ブロックＤＢ３８〜ＤＢ４２を連結するときには、各雄ネジ部に連結器５０の第１締め付け部材と第２締め付け部材をそれぞれ取り付ける。そして、分割ブロックＤＢ３８〜ＤＢ４２を図のように組み合わせた後に、第１締め付け部材と第２締め付け部材の締め付け作業を行う。
【００７６】
図２７には分割ブロックをＴ字形状に連結する方法を示してある。Ｔ字状の分割ブロックＤＢ４３には連結ロッド３０が平行に埋設され且つ互いに接合されており、各連結ロッド３０の両端または一端に設けた雄ネジ部が凹部４０内で露出している。平板状の分割ブロックＤＢ４４〜ＤＢ４６には連結ロッド３０が平行に埋設されており、各連結ロッド３０の雄ネジ部が凹部４０内で露出している。これら分割ブロックＤＢ４３〜ＤＢ４６を連結するときには、各雄ネジ部に連結器５０の第１締め付け部材と第２締め付け部材をそれぞれ取り付ける。そして、分割ブロックＤＢ４３〜ＤＢ４６を図のように組み合わせた後に、第１締め付け部材と第２締め付け部材の締め付け作業を行う。
【００７７】
図２８には分割ブロックをＬ字形状に連結する方法を示してある。Ｌ字状の分割ブロックＤＢ４７には連結ロッド３０が平行に埋設され、各連結ロッド３０の雄ネジ部が凹部４０内で露出している。平板状の分割ブロックＤＢ４８とＤＢ４９には連結ロッド３０が平行に埋設されており、各連結ロッド３０の雄ネジ部が凹部４０内で露出している。これら分割ブロックＤＢ４７〜ＤＢ４９を連結するときには、各雄ネジ部に連結器５０の第１締め付け部材と第２締め付け部材をそれぞれ取り付ける。そして、分割ブロックＤＢ４７〜ＤＢ４９を図のように組み合わせた後に、第１締め付け部材と第２締め付け部材の締め付け作業を行う。
【００７８】
図２９には分割ブロックをＴ字形状に連結する方法を示してある。Ｌ字状の分割ブロックＤＢ５０には連結ロッド３０が平行に埋設され、一方の連結ロッド３０の雄ネジ部が表面で露出し、他方の連結ロッド３０の雄ネジ部が凹部４０内で露出している。平板状の分割ブロックＤＢ５１には連結ロッド３０が平行に埋設されており、各連結ロッド３０の雄ネジ部が凹部４０内で露出している。これら分割ブロックＤＢ５０とＤＢ５１を連結するときには、各雄ネジ部に連結器５０の第１締め付け部材と第２締め付け部材をそれぞれ取り付ける。そして、分割ブロックＤＢ５０とＤＢ５１を図のように組み合わせた後に、第１締め付け部材と第２締め付け部材の締め付け作業を行う。
【００７９】
図３０には分割ブロックを湾曲形状に連結する方法を示してある。湾曲した分割ブロックＤＢ５２には連結ロッド３０が湾曲表面に沿って埋設され、各連結ロッド３０の雄ネジ部が凹部４０内で露出している。平板状の分割ブロックＤＢ５３とＤＢ５４には連結ロッド３０が平行に埋設されており、各連結ロッド３０の雄ネジ部が凹部４０内で露出している。これら分割ブロックＤＢ５２〜ＤＢ５４を連結するときには、各雄ネジ部に連結器５０の第１締め付け部材と第２締め付け部材をそれぞれ取り付ける。そして、分割ブロックＤＢ５２〜ＤＢ５４を図のように組み合わせた後に、第１締め付け部材と第２締め付け部材の締め付け作業を行う。
【００８０】
図３１には分割ブロックを湾曲形状に連結する方法を示してある。湾曲した分割ブロックＤＢ５５には連結ロッド３０が湾曲表面に沿って埋設され、各連結ロッド３０の雄ネジ部が凹部４０内で露出している。湾曲した分割ブロックＤＢ５６とＤＢ５７には連結ロッド３０が湾曲表面に沿って埋設されており、各連結ロッド３０の雄ネジ部が凹部４０内で露出している。これら分割ブロックＤＢ５５〜ＤＢ５７を連結するときには、各雄ネジ部に連結器５０の第１締め付け部材と第２締め付け部材をそれぞれ取り付ける。そして、分割ブロックＤＢ５５〜ＤＢ５７を図のように組み合わせた後に、第１締め付け部材と第２締め付け部材の締め付け作業を行う。
【００８１】
【発明の効果】
以上詳述したように、本発明のコンクリートブロック連結構造体によれば、第１，第２コンクリートブロックを組み合わせた後に第２締め付け部材の雌ネジ部を第１締め付け部材の雄ネジ部に締め付けるだけの簡単な作業によって、相対向する第１，第２連結ロッドに対して互いを引き寄せる方向の力を付与し、且つ、所定の引き寄せ力を付与した状態を維持することができる。つまり、第１，第２コンクリートブロックの連結面を圧接して第１，第２コンクリートブロック相互を強固に連結でき、第１，第２コンクリートブロックを適正な圧接状態で連結して所期の気密性や水密性を的確に確保することができる共に、外部から力を受けても第１，第２コンクリートブロックの連結に緩みを生じることを防止して長期に亘って連結状態を良好に維持することができる。
【図面の簡単な説明】
【図１】本発明の一実施態様に係る、分割ブロックを連結した状態を示す平面図
【図２】図１の正面図
【図３】図１における連結器及びその周囲部分の拡大縦断面図
【図４】図１に示した連結器の分解斜視図
【図５】分割ブロックの連結方法の説明図
【図６】図１に示した連結器の変更態様を示す斜視図
【図７】図１に示した連結器の変更態様を示す、図３に対応した縦断面図
【図８】連結器内に硬化材を充填する方法の説明図
【図９】連結器内に硬化材を充填する方法の説明図
【図１０】図１に示した連結ロッドの変更態様をそれぞれ示す斜視図
【図１１】図１に示した内部鉄筋の変更態様を示す斜視図
【図１２】連結器の他の実施態様を示す、図３に対応した縦断面図
【図１３】図１２に示した連結器の分解斜視図
【図１４】図１２に示した連結器による分割ブロックの連結方法の説明図
【図１５】図１２に示した連結器の変更態様を示す斜視図
【図１６】図１２に示した連結器の変更態様を示す、図３に対応した縦断面図
【図１７】コンクリートブロック連結構造体の他の実施態様を示す斜視図
【図１８】コンクリートブロック連結構造体の他の実施態様を示す斜視図
【図１９】コンクリートブロック連結構造体の他の実施態様を示す斜視図
【図２０】コンクリートブロック連結構造体の他の実施態様を示す斜視図
【図２１】コンクリートブロック連結構造体の他の実施態様を示す斜視図
【図２２】コンクリート構造物を構築する際に利用可能なブロック連結方法の説明図
【図２３】コンクリート構造物を構築する際に利用可能なブロック連結方法の説明図
【図２４】コンクリート構造物を構築する際に利用可能なブロック連結方法の説明図
【図２５】コンクリート構造物を構築する際に利用可能なブロック連結方法の説明図
【図２６】コンクリート構造物を構築する際に利用可能なブロック連結方法の説明図
【図２７】コンクリート構造物を構築する際に利用可能なブロック連結方法の説明図
【図２８】コンクリート構造物を構築する際に利用可能なブロック連結方法の説明図
【図２９】コンクリート構造物を構築する際に利用可能なブロック連結方法の説明図
【図３０】コンクリート構造物を構築する際に利用可能なブロック連結方法の説明図
【図３１】コンクリート構造物を構築する際に利用可能なブロック連結方法の説明図
【図３２】従来のブロック連結方法の説明図
【符号の説明】
ＤＢ１〜ＤＢ５７…分割ブロック、１０…内部鉄筋、３０…連結ロッド、３０ａ…雄ネジ部、３１…波形補強部材、３２…棒状補強部材、３３…棒状補強部材、ＣＬ…連結ロッドの中心線、４０…凹部、ＨＭ…硬化材、６０…連結器、６１…第１締め付け部材、６１ｂ…ナット状部分、６１ｃ…雄ネジ部、６１ｄ…歯輪状部分、６２…第２締め付け部材、６２ｂ…雌ネジ孔、６２ｄ…ナット状部分、６２ｅ…歯輪状部分、６３…ナット、６４…固定用ナット。
【図１】
0003544917.tif 000002
【図２】
0003544917.tif 000003
【図３】
0003544917.tif 000004
【図４】
0003544917.tif 000005
【図５】
0003544917.tif 000006
【図６】
0003544917.tif 000007
【図７】
0003544917.tif 000008
【図８】
0003544917.tif 000009
【図９】
0003544917.tif 000010
【図１０】
0003544917.tif 000011
【図１１】
0003544917.tif 000012
【図１２】
0003544917.tif 000013
【図１３】
0003544917.tif 000014
【図１４】
0003544917.tif 000015
【図１５】
0003544917.tif 000016
【図１６】
0003544917.tif 000017
【図１７】
0003544917.tif 000018
【図１８】
0003544917.tif 000019
【図１９】
0003544917.tif 000020
【図２０】
0003544917.tif 000021
【図２１】
0003544917.tif 000022
【図２２】
0003544917.tif 000023
【図２３】
0003544917.tif 000024
【図２４】
0003544917.tif 000025
【図２５】
0003544917.tif 000026
【図２６】
0003544917.tif 000027
【図２７】
0003544917.tif 000028
【図２８】
0003544917.tif 000029
【図２９】
0003544917.tif 000030
【図３０】
0003544917.tif 000031
【図３１】
0003544917.tif 000032
【図３２】
0003544917.tif 000033